(57)【要約】  ＵＳＢ装置用保持器具が示される。ＵＳＢ装置用保持器具は、装置側および装着側を含むドックから成る。ドックの装置側は、ＵＳＢ装置を受け入れる。また、ドックの装着側は表面に結合される。この配置によって、小売販売、輸送、および保管中におけるＵＳＢ装置の適切な保持が提供される。
2011523491.tif 000002
【特許請求の範囲】
【請求項１】
ユニバーサル・シリアル・バス装置に使用する保持器具であって、前記器具は、
ａ．ドックを含み、前記ドックは、さらに
ｉ．装置側、および
ｉｉ．装着側
を含み、
ｂ．前記ドックの前記装置側は、前記ユニバーサル・シリアル・バス装置を受け入れ、
ｃ．前記ドックの前記装着側は、表面に結合する、
ことを特徴とする器具。
【請求項２】
前記ドックは、プラスチックであることを特徴とする請求項１記載の器具。
【請求項３】
前記表面は、外部パッケージであることを特徴とする請求項１記載の器具。
【請求項４】
前記ドックの前記装着側は、前記外部パッケージと一体的に成型され、前記ドックおよび前記外部パッケージが一体であることを特徴とする請求項３記載の器具。
【請求項５】
前記ドックの前記装着側は、装着手段さらに含み、前記装着手段は、前記ドックを前記外部パッケージに結合することを特徴とする請求項３記載の器具。
【請求項６】
前記外部パッケージは、
ａ．プラスチック、
ｂ．紙、および、
ｃ．それらの任意の組合せ、
から成るグループから選択されることを特徴とする請求項３記載の器具。
【請求項７】
前記ユニバーサル・シリアル・バス装置は、ユニバーサル・シリアル・バス・フラッシュ・ドライブであることを特徴とする請求項１記載の器具。
【請求項８】
前記ドックは、キャップ側をさらに含み、前記ドックの前記キャップ側は、ユニバーサル・シリアルバス・フラッシュ・ドライブのキャップを受け入れることを特徴とする請求項７記載の装置。
【発明の詳細な説明】
【技術分野】
【０００１】
本発明は、あらゆる種類のユニバーサル・シリアル・バス（「ＵＳＢ」）装置を保持するための器具に関する。
【背景技術】
【０００２】
ＵＳＢ、コンパクト・ディスク（ＣＤ）、およびデジタル・ビデオ・ディスク（ＤＶＤ）のようなメディア記憶装置の用途は、先行技術において周知である。小売販売、輸送、および保管する目的のために、ＣＤおよびＤＶＤメディア装置は、たいていの場合、ドックによって適所に保持され、そして、通常は包装用ケース内に収容される。しかしながら、現在、包装用ケース内または他の表面上にＵＳＢ装置を適切にしっかりと保持できるようなＵＳＢ用ドックは無い。したがって、ＵＳＢ装置をしっかりと保持し、かつ包装するような器具に対する要望があり、その器具とは、包装用ケース内または表面上に、ＵＳＢ装置を適所にしっかりと保持するドックである。
【０００３】
メディア保持器具に関する課題を克服するために、例えば、米国特許番号４７０２３７４（Ｋｅｉｎｅｒ）、６７３３３２９（Ｙａｎｇ）、６７３９４５２（Ｒｏｃｈｅｌｏ）、６８３９２３９（Ｌｅｅ）、７２９３６４７（Ｗｏｎｇ、外）、７３０６１５９（Ｒｏｃｈｅｌｏ）、米国特許出願公開番号２００３００６２２７５（Ｒｏｃｈｅｌｏ）、２００４００３８５９２（Ｙａｎｇ）、２００５０１５０７９６（Ｗｏｎｇ）、２００６０１４４７５１（Ｔｓａｎｇ）、２００６０２６６６７１（Ｌａｎｇｅｒａｋ）、および２００７０１６３９１３（Ｏｒ、外）において、様々な技術が開示されてきた。しかしながら、これらの開示は、以下の１つまたはそれ以上の欠点を克服していない。すなわち、第１に、これらのいずれの発明も、ＵＳＢ装置のためのドックを含まない。第２に、これらのいずれの発明も、簡単かつ比較的安価に製造できるような単純なデザインではない。
【発明の概要】
【０００４】
ＵＳＢ装置に使用するための保持器具は、ドックを含む。ドックは、装置側および装着側を含む。ＵＳＢ装置はドックの装置側に適合し、装着側はドックを表面に結合する。
【０００５】
本発明は、ＵＳＢ装置に使用するための保持器具に向けられる。
【０００６】
本発明のさらなる目的は、保持器具が表面と一体的に結合されたような、ＵＳＢ装置に使用するための保持器具を提供することである。
【０００７】
本発明のさらなる目的は、ＵＳＢ装置を保護し、かつ安全に保持するための保持器具を提供することである。
【０００８】
本発明のさらなる目的は、ＵＳＢフラッシュ・ドライブを保護し、かつ安全に保持するための保持器具を提供することである。
【０００９】
本発明のさらなる目的は、ＵＳＢフラッシュ・ドライブおよびその保護キャップを保護し、かつ安全に保持するための保持器具を提供することである。
【００１０】
本発明のさらなる目的は、簡単かつ安価で製造できる保持器具を提供することである。
【００１１】
本発明の特性であると考えられる新規な特徴は、特に添付のクレームで明らかにされる。しかしながら、本発明自体は、その追加の目的および利点と共に、その構造および動作の両方に関して、ＵＳＢ用ドックの好適な実施例に関する以下の記述を、添付図面と併せて読むことによって最もよく理解されるであろう。特記しない限り、本明細書およびクレームにおける語句には、当該技術分野における通常の知識を有する者にとって通常および慣用的な意味が付与されると解すべきである。他の意味が意図される場合は、本明細書において、その語句に特別の意味が適用されることが特記されるであろう。同様に、好適な実施例の記載において、用語「機能」または「手段」を使用する場合は、本発明を定義するための３５Ｕ．Ｓ．Ｃ．第１１２条、第６パラグラフの特別規定の適用を要求する意図はない。これに対して、３５Ｕ．Ｓ．Ｃ．第１１２条、第６パラグラフが、本発明を定義するために適用されることを要求する場合は、それらのクレームには、「‥‥ための手段」または「‥‥ための工程」という句、および機能が特に記述され、さらに、そのような句中にその機能をサポートする構造、材料、または行為は示されないであろう。
【００１２】
さらに、３５Ｕ．Ｓ．Ｃ．第１１２条、第６パラグラフが、本発明を定義するために適用されたとしても、好適な実施例に記載される特定の構造、材料、または行為のみに本発明が制限されないことを意図しており、さらに、クレームされた機能を実行するための全ての既知またはその後に開発された均等の構造、材料、または行為と共に、クレームされた機能を実行するための全ての構造、材料、または行為を含む。
【図面の簡単な説明】
【００１３】
【図１】外部パッケージの表面と一体化された本発明の好適な実施例の平面図である。
【００１４】
【図２】本発明の好適な実施例であるドックの切断平面図である。
【００１５】
【図２Ａ】本発明の好適なドックの内部の断面図である。
【００１６】
【図３】本発明の好適な実施例であるドックの切断側面図である。
【００１７】
【図４Ａ】本発明の好適な実施例であるドックの斜視図である。
【００１８】
【図４Ｂ】本発明の好適な実施例であるドックの斜視図である。
【発明を実施するための形態】
【００１９】
図４Ａおよび図４Ｂで示すように、ＵＳＢ用ドック３００の好適な実施例は、装置側３１０および装着側３２０を含む。ＵＳＢ装置は、装置の小売販売、輸送、または保管中に離脱しないように、ドック３００に結合される。ドック３００の装置側３１０は中空であり、ＵＳＢ装置がドック３００にしっかりと保持される位置までＵＳＢ装置をスライドさせることができる。ドック３００の装着側３２０は、任意の表面に結合することができ、それによって、ドック３００およびＵＳＢ装置が適所に保持される。この結合は、図１で示すように、ドック３００が外部パッケージ２００の一部として形成される場合は型によって、あるいは表面を把持するような接着剤、フックアンドループ・ファスナ等（図示せず）のような装着手段によって行なわれる。
【００２０】
図２および図２Ａで示すように、ドック３００の装置側３１０の内部は、丸みを付けられた内壁３１２を含む。この内壁３１２によって、ＵＳＢ装置を、ドック３００の装置側３１０へ滑らかに挿入することができる。全てのＵＳＢ装置は同一サイズであるので、ドック３００の装置側３１０の寸法は、標準化されたサイズになるであろう。この特徴によって、ドック３００の生産が容易になる。
【００２１】
ドック３００の好適な実施例では、ドック３００の装着側３２０は、ドック３００上に成型された円形のプラスチック板である。円形の板は、ドック３００を表面に結合するために使用される装着手段を含む。装着手段には、接着剤、フックアンドループ・ファスナ、または他の適切な装着手段が含まれる。さらに、ドック３００が結合される表面には、プラスチック製包装用ケース、壁、テーブルの上面、陳列台などのようなあらゆる種類の平滑な表面が含まれる。ドック３００によって、ＵＳＢ装置が表面にしっかりと保持されるので、発送、陳列、保管等がしやすくなる。
【００２２】
本発明の他の実施例では、ＵＳＢ用ドック３００は、ＵＳＢフラッシュ・ドライブを保持するように設計される。この実施例では、ドック３００は、装置側３１０に加えてキャップ側３１５を含む。ドック３００のキャップ側３１５は、ＵＳＢフラッシュ・ドライブの保護キャップを保持する。図２−図４で示されたように、ドック３００の装置側３１０およびキャップ側３１５は、それらが反対方向に向くように設置される。ドック３００のキャップ側３１５は、ＵＳＢフラッシュ・ドライブの保護キャップを受け入れるために設けられる。しかしながら、ドック３００は、必ずしもキャップ側３１５を含む必要はない。この代替実施例は、保護キャップを含まないＵＳＢフラッシュ・ドライブに適応する。
【００２３】
本実施例では、ドック３００のキャップ側３１５、およびドック３００の装置側３１０は、それらが一体化するように共に結合される。ＵＳＢフラッシュ・ドライブおよびその保護キャップは、本来、標準化されたサイズなので、ドック３００は、それらの部分に適応する一定のサイズで容易に作成することができる。さらに、ドック３００は、プラスチックまたは他の頑丈かつ保護的な材料で作成されることが好ましい。しかしながら、ドック３００は、任意の適切な材料によって作成することができる。
【００２４】
図１で示すように、本実施例では、その外部表面は、プラスチック製の包装用ケース２００である。プラスチック・パッケージ２００は、標準的な１４ｍｍのデジタル・ビデオ・ディスク（ＤＶＤ）用ケースである。そのケースが開いているとき、外部パッケージ２００の左側２０５は、同封されたメディア装置を操作するための情報および指示が記載された小冊子を保持するための標準的なクリップ２１０を含む。外部パッケージ２００の右側２０７は、ドック３００を含む。ドック３００は、外部パッケージ２００と一体的に成型されるので、それが発送または陳列される間に外部パッケージ２００から外れることはない。これは、装着手段を用いることにより、または、外部パッケージ２００およびドック３００を一体的に成型することによって行なうことができる。外部パッケージ２００の他の実施例としては、例えば、コンパクト・ディスク（ＣＤ）用ジュエルケース、ソフトウェア用パッケージ、ビデオゲーム用パッケージ等のように多数ある。外部パッケージはプラスチック製が好ましいが、メディア装置を内部で支持し、かつ保護することができ、さらに、ドック３００を安全に適所に保持することができるような任意の材料を用いることができる。ドック３００は、外部パッケージ２００の左右いずれの側にも結合することができる。しかしながら、パッケージの右側にドック３００を成型することが好ましい。さらに、ドック３００は、外部パッケージ２００上の任意の位置に、垂直かつ／または水平に設けることができる。本発明の好適な実施例では、ドック３００は、外部パッケージ２００のＵＳＢ装置と同じ側に追加のメディア類（すなわち、ＣＤ、ＤＶＤ、ビデオゲーム）を置くことができるように配置される。
【００２５】
本発明の好適な実施例は、「発明を実施するための形態」に記載されている。これらの記述は、一実施例について記載しているが、当業者であれば、ここに図示および記述された特定の実施例に対して、修正および／または変更を想起できることを理解するであろう。さらに、本記載の範囲に属するあらゆる修正または変更も同様に含まれることを意図している。特記しない限り、明細書およびクレームに含まれる語句は、当該技術分野において通常の知識を有する者にとって普通かつ慣用的な意味が付与されることを、本発明者は意図している。本願の出願時において本出願人が知っていた、本発明の好適な実施例およびベスト・モードに関する上記記述が提示されたが、それは、例示および記述目的であることを意図している。それは、徹底的あるいは開示された正確な形に本発明を制限することを意図するものではなく、上記教示に照らして、多くの修正および変更が可能である。本実施例は、本発明の原理およびその実用的な応用について最もよく説明するため、および、他の当業者が考えた特定の使用に適するように、様々な実施例に様々な修正を加えて、本発明を最も良く利用することができるように、選択され、記述されたものである。
【図１】
2011523491.tif 000003
【図２】
2011523491.tif 000004
【図２Ａ】
2011523491.tif 000005
【図３】
2011523491.tif 000006
【図４Ａ】
2011523491.tif 000007
【図４Ｂ】
2011523491.tif 000008
【国際調査報告】
2011523491.tif 000009
2011523491.tif 000010